(57)【要約】【課題】小型化し得る入力切換装置を提案する。【解決手段】本発明は、音声信号ラインＬＮＲに結線され、該音声信号ラインＬＮＲを介してマイクロホンＭＣ２に対して基準電圧を供給する電圧供給ラインＬＮＸの電圧変化により、多極プラグの抜差を検出する検出手段５３と、該検出手段５３により多極プラグの脱抜が検出された場合には、音声信号ラインＬＮＬにおける信号増幅手段５４ＤＬからの出力を抑制し、これに対して多極プラグの差込が検出された場合には、当該抑制を解除する抑制手段ＳＷとを設けるようにした。【選択図】図１５
2008092366.tif 000002
【特許請求の範囲】
【請求項１】
複数のプラグ端子の全部又は一部が平行に配された多極プラグに対応するコネクタと、
各上記プラグ端子にそれぞれ対応するコネクタ端子のうち、マイク入力端子と、上記マイク入力端子から供給される音声信号に対する逆位相の音声信号をノイズキャンセリング信号として出力されるスピーカ端子とを結ぶ音声信号ライン上に設けられ、上記ノイズキャンセリング信号及び再生音声信号の合成結果を増幅する信号増幅手段と、
上記音声信号ラインに結線され、該音声信号ラインを介してマイクロホンに対して基準電圧を供給する電圧供給ラインの電圧変化により、上記多極プラグの抜差を検出する検出手段と、
上記検出手段により上記多極プラグの脱抜が検出された場合には、上記信号増幅手段からの出力を抑制し、上記多極プラグの差込が検出された場合には、当該抑制を解除する抑制手段と
を具えることを特徴とする音響装置。
【請求項２】
上記信号増幅手段は、
一対の上記マイク入力端子と、該マイク入力端子に対応する一対の上記スピーカ出力端子との間を結ぶ各上記音声信号ライン上にそれぞれ設けられ、
上記検出手段は、
一対の上記マイク入力端子のうち、上記コネクタの挿入口に対して近いほうの上記マイク入力端子に対応する上記音声信号ラインに結線された上記電圧供給ラインの電圧変化により上記多極プラグの抜差を検出し、
上記抑制手段は、
上記コネクタの挿入口に対して遠いほうの上記マイク入力端子に対応する上記音声信号ラインに設けられた上記信号増幅手段からの出力を抑制し又は当該抑制を解除する
ことを特徴とする請求項１に記載の音響装置。
【請求項３】
上記コネクタの挿入口に対して近いほうの上記マイク入力端子は、各上記コネクタ端子のうち最も上記コネクタの挿入口に対して近い位置に配置されている
ことを特徴とする請求項２に記載の音響装置。
【請求項４】
上記抑制手段は、
上記マイク入力端子及び上記信号増幅手段の間に設けられ、上記検出手段により上記多極プラグの脱抜が検出された場合には該検出手段により開状態とされ、上記多極プラグの差込が検出された場合には該検出手段により閉状態とされるスイッチでなる
ことを特徴とする請求項１に記載の音響装置。
【請求項５】
上記抑制手段は、
上記信号増幅手段に対する電源供給を遮断することにより、上記音声信号ラインにおける上記信号増幅手段からの出力を抑制する
ことを特徴とする請求項１に記載の音響装置。
【請求項６】
上記抑制手段は、上記信号増幅手段に対する出力レベルを所定レベルまで引き下げることにより、上記音声信号ラインにおける上記信号増幅手段からの出力を抑制する
ことを特徴とする請求項１に記載の音響装置。
【請求項７】
上記検出手段は、上記マイク入力端子を介してマイクロホンに供給される基準電圧を調整する調整抵抗と共用された
ことを特徴とする請求項１に記載の音響装置。
【請求項８】
複数のプラグ端子の全部又は一部が平行に配された多極プラグに対応するコネクタに対する、該多極プラグの抜差に応じて音声信号の出力を抑制する出力抑制方法であって、
各上記プラグ端子にそれぞれ対応するコネクタ端子のうち、マイク入力端子と、上記マイク入力端子から供給される音声信号に対する逆位相の音声信号をノイズキャンセリング信号として出力されるスピーカ端子とを結ぶ音声信号ラインに結線され、該音声信号ラインを介してマイクロホンに対して基準電圧を供給する電圧供給ラインの電圧変化により、上記多極プラグの抜差を検出する第１のステップと、
上記多極プラグの脱抜が検出された場合には、上記音声信号ライン上に設けられた信号増幅手段からの出力を抑制し、上記多極プラグの差込が検出された場合には、当該抑制を解除する第２のステップと
を具えることを特徴とする出力抑制方法。
【請求項９】
複数のプラグ端子の全部又は一部が平行に配された多極プラグに対応するコネクタに対する、該多極プラグの抜差に応じて音声信号の出力を抑制するプログラムであって、
各上記プラグ端子にそれぞれ対応するコネクタ端子のうち、マイク入力端子と、上記マイク入力端子から供給される音声信号に対する逆位相の音声信号をノイズキャンセリング信号として出力されるスピーカ端子とを結ぶ音声信号ラインに結線され、該音声信号ラインを介してマイクロホンに対して基準電圧を供給する電圧供給ラインの電圧変化により、上記多極プラグの抜差を検出すること、
抑制手段に対して、上記多極プラグの脱抜が検出された場合には、上記音声信号ライン上に設けられた信号増幅手段からの出力を抑制し、上記多極プラグの差込が検出された場合には、当該抑制を解除すること
を実行させることを特徴とするプログラム。
【発明の詳細な説明】
【技術分野】
【０００１】
本発明は音響装置、出力抑制方法及びプログラムに関し、例えば音楽再生装置に適用して好適なものである。
【背景技術】
【０００２】
従来、音楽再生装置に対して装脱着自在のヘッドホン（又はイヤホン）には、一般に、ピン形状のプラグが採用されることが多く、該プラグが採用された場合、プラグ端子は、プラグの抜差方向に対して平行に配置される。この場合、プラグ端子に対応するコネクタ端子も、プラグの抜差方向に対して平行に配置されることになる。
【０００３】
一方、音楽再生装置には、ノイズキャンセリング機能が搭載されている場合、音楽再生装置に対して装脱着自在のヘッドホン（又はイヤホン）には、当該ヘッドホン周辺の音をノイズ音として集音するマイクロホンが搭載されることになる。
【０００４】
ここで、このマイク付ヘッドホンのプラグに配置される各プラグ端子のうち、マイク入力端子とスピーカ出力端子とが、プラグの抜差方向に対して平行に配された場合、該プラグを対応するコネクタから抜差するとき、プラグ側のスピーカ出力端子と、コネクタ側のマイク入力端子とが接触することにより、スピーカからの出力の一部がマイクに帰還されることになり、この結果、発振（いわゆるハウリング）が生じるといった問題が起こる。
【０００５】
この問題を解決策の１つとして、ケーブル内の信号線に結線されたスイッチ設けるとともに、該スイッチを開閉動作させる棒状のスイッチレバーを、プラグの抜差方向と平行に設け、プラグの差込時にはスイッチレバーの先端部がジャックの端面に当接し、プラグのジャックへの挿入状態が完全になるにしたがって、スイッチ用レバーが端面に押されることにより生じる力でスイッチを開放するようにしたものが提案されている（例えば特許文献１参照）。
【特許文献１】実開平５−３１１６１号公報
【発明の開示】
【発明が解決しようとする課題】
【０００６】
ところがかかる構成のプラグは、スイッチ用レバー自体のスペースと、該スイッチ用レバーの可動スペースとを含む設置スペースを要するため大型化し、ひいては音楽再生装置全体としても大型化するという問題があった。
【０００７】
本発明は以上の点を考慮してなされたもので、簡素な構成により発振を防止し得る音響装置、出力抑制方法及びプログラムを提案しようとするものである。
【課題を解決するための手段】
【０００８】
かかる課題を解決するため本発明は、音響装置であって、複数のプラグ端子の全部又は一部が平行に配された多極プラグに対応するコネクタを設けるとともに、各プラグ端子にそれぞれ対応するコネクタ端子のうち、マイク入力端子と、マイク入力端子から供給される音声信号に対する逆位相の音声信号をノイズキャンセリング信号として出力されるスピーカ端子とを結ぶ信号経路上に、ノイズキャンセリング信号及び再生音声信号の合成結果を増幅する信号増幅手段を設ける。また、音声信号ラインに結線され、該音声信号ラインを介してマイクロホンに対して基準電圧を供給する電圧供給ラインの電圧変化により、多極プラグの抜差を検出する検出手段と、該検出手段により多極プラグの脱抜が検出された場合には、信号経路における信号増幅手段からの出力を抑制し、これに対して多極プラグの差込が検出された場合には、当該抑制を解除する抑制手段とを設けるようにした。
【０００９】
また本発明は、複数のプラグ端子の全部又は一部が平行に配された多極プラグに対応するコネクタに対する、該多極プラグの抜差に応じて音声信号の出力を抑制する出力抑制方法であって、各プラグ端子にそれぞれ対応するコネクタ端子のうち、マイク入力端子と、マイク入力端子から供給される音声信号に対する逆位相の音声信号をノイズキャンセリング信号として出力されるスピーカ端子とを結ぶ音声信号ラインに結線され、該音声信号ラインを介してマイクロホンに対して基準電圧を供給する電圧供給ラインの電圧変化により、多極プラグの抜差を検出し、多極プラグの脱抜が検出された場合には、音声信号ライン上に設けられた信号増幅手段からの出力を抑制し、多極プラグの差込が検出された場合には、当該抑制を解除するようにした。
【００１０】
さらに本発明は、複数のプラグ端子の全部又は一部が平行に配された多極プラグに対応するコネクタに対する、該多極プラグの抜差に応じて音声信号の出力を抑制するプログラムであって、各プラグ端子にそれぞれ対応するコネクタ端子のうち、マイク入力端子と、マイク入力端子から供給される音声信号に対する逆位相の音声信号をノイズキャンセリング信号として出力されるスピーカ端子とを結ぶ音声信号ラインに結線され、該音声信号ラインを介してマイクロホンに対して基準電圧を供給する電圧供給ラインの電圧変化により、多極プラグの抜差を検出すること、抑制手段に対して、多極プラグの脱抜が検出された場合には、音声信号ライン上に設けられた信号増幅手段からの出力を抑制し、多極プラグの差込が検出された場合には、当該抑制を解除することを実行させるようにした。
【発明の効果】
【００１１】
本発明では、コネクタからプラグが脱抜される場合、音声信号ライン上に設けられた信号増幅手段からの出力が抑制されることにより、当該脱抜時に、コネクタにおけるマイク入力端子と、プラグ側のスピーカ出力端子とが接触した場合であっても、音声信号ラインからの出力の一部が再度帰還するといったことが回避され、この結果、発振（いわゆるハウリング）が防止される。
【００１２】
また本発明では、マイク入力端子に供給される電圧変化によりプラグの抜差を検出することにより、従来のように、スイッチ用レバーを設けることなく、音声信号ライン上に設けられた信号増幅手段からの出力を抑制することができる。
【００１３】
このように本発明は、抜差に応じて可動してスイッチを開閉するものを多極プラグに別途設けることなく、当該プラグの抜差を検出してハウリングを防止するようにしたため、簡素な構成により発振を防止し得る音響装置、出力抑制方法及びプログラムを実現できる。
【発明を実施するための最良の形態】
【００１４】
以下図面について本発明を詳述する。
【００１５】
（１）携帯音楽プレーヤの外観構成
図１において、本実施の形態による携帯型の音楽再生装置（以下、これを携帯音楽プレーヤと呼ぶ）の外観構成を示す。この携帯音楽プレーヤ１は、丸みを帯びた略直方体形状として形成され、片手で把持できる程度の大きさとなっている。
【００１６】
この携帯音楽プレーヤ１の筺体表面には、各種操作ボタンや表示部ＤＰなどが設けられている。また、この携帯音楽プレーヤ１の所定位置にはジャックＪＡＫが設けられており、該ジャックＪＡＫには、マイクロホンを搭載したイヤホン（以下、これをマイク付イヤホンと呼ぶ）ＥＰ１、ＥＰ２から引き回される接続コードＣＤの先端に設けられたプラグＰＬＧが接続される。
【００１７】
（２）プラグ及びジャックの構成
このプラグＰＬＧ及びジャックＪＡＫは、標準ミニプラグ規格に対応させて形成されている。このプラグＰＬＧとジャックＪＡＫの構成を以下説明する。
【００１８】
（２−１）プラグの構成
このプラグＰＬＧは、図２乃至図６に示すように、第１の導体１１、第１の絶縁体１２、第２の導体１３、第２の絶縁体１４、第３の導体１５、第３の絶縁体１６、第４の導体１７、第４の絶縁体１８及び第５の導体１９によって構成されている。
【００１９】
第１の導体１１、第２の導体１３、第３の導体１５、第４の導体１７及び第５の導体１９は、何れも導電性の高い金属材料によって形成され、第１の絶縁体１２、第２の絶縁体１４、第３の絶縁体１６及び第４の絶縁体１８は何れも樹脂材料等の導電性を有しない材料によって形成されている。
【００２０】
この実施の形態の場合、第１の導体１１は左スピーカの端子として割り当てられ、第２の導体１３は右スピーカの端子として割り当てられる。また、第３の導体１５はグランドの端子として割り当てられる。さらに、第４の導体１７は左マイクの端子として割り当てられ、第５の導体１８は右マイクの端子として割り当てられる。
【００２１】
第１の導体１１は略丸軸状に形成され、大径の電極部１１ａと小径の嵌合部１１ｂとを有している。第１の導体１１には、電極部１１ａと嵌合部１１ｂの間に外方へ張り出されたフランジ部１１ｃが設けられ、嵌合部１１ｂのフランジ部１１ｃと反対側の端部にコード接続部１１ｄが設けられている。
【００２２】
電極部１１ａの外周面は嵌合部１１ｂに近付くに従って中心側へ変位するように傾斜された傾斜面１１ｅとして形成されている。嵌合部１１ｂは軸方向における長さが電極部１１ａより長くされている。コード接続部１１ｄは、その径が電極部１１ａの径より小さく嵌合部１１ｂの径より大きくされている。
【００２３】
第１の絶縁体１２は略円筒状に形成され、軸方向における一端部が他の部分より外径の大きな大径部１２ａとして設けられ、該大径部１２ａ以外の部分が小径部１２ｂとして設けられている。大径部１２ａは小径部１２ｂより肉厚に形成されている。小径部１２ｂの大径部１２ａと反対側の端部は外方へ僅かに張り出された張出部１２ｃとされ、大径部１２ａと張出部１２ｃの間における外面側に浅い嵌合凹部１２ｄが形成されている。
【００２４】
第１の絶縁体１２は第１の導体１１の嵌合部１１ｂに外嵌されている。第１の絶縁体１２は第１の導体１１に外嵌された状態において、大径部１２ａの外周面がフランジ部１１ｃの外周面と放射方向において一致されている。第１の導体１１は電極部１１ａ、フランジ部１１ｃ及びコード接続部１１ｄが露出されている。
【００２５】
第２の導体１３は略円筒状に形成され、大径の電極部１３ａと小径の嵌合部１３ｂとを有している。第１の導体１３には、電極部１３ａと嵌合部１３ｂとを連結する略円環状に形成された連結部１３ｃが設けられ、嵌合部１３ｂの連結部１３ｃと反対側の端部はコード接続部１３ｄとして設けられている。
【００２６】
第２の導体１３は第１の絶縁体１２に外嵌されている。第２の導体１３は第１の絶縁体１２に外嵌された状態において、電極部１３ａが大径部１２ａの一端部を除く部分に結合され、嵌合部１３ｂ及び連結部１３ｃが嵌合凹部１２ｄに結合され、嵌合部１３ｂの外周面が張出部１２ｃの外周面と放射方向において一致されている。従って、第２の絶縁体１２は大径部１２ａの一部と張出部１２ｃとが露出されている。
【００２７】
第２の絶縁体１４は略円筒状に形成され、軸方向における一端部が他の部分より外径の大きな大径部１４ａとして設けられ、該大径部１４ａ以外の部分が小径部１４ｂとして設けられている。大径部１４ａは小径部１４ｂより肉厚に形成されている。小径部１４ｂの大径部１４ａと反対側の端部は外方へ僅かに張り出された張出部１４ｃとされ、大径部１４ａと張出部１４ｃの間における外面側に浅い嵌合凹部１４ｄが形成されている。
【００２８】
第２の絶縁体１４は第２の導体１３の嵌合部１３ｂに外嵌されている。第２の絶縁体１４は第２の導体１３に外嵌された状態において、大径部１４ａの外周面が電極部１３ａの外周面と放射方向において一致されている。第２の導体１３は電極部１３ａとコード接続部１３ｄが露出されている。
【００２９】
第３の導体１５は略円筒状に形成され、大径の電極部１５ａと小径の嵌合部１５ｂとを有している。第１の導体１５には、電極部１５ａと嵌合部１５ｂとを連結する略円環状に形成された連結部１５ｃが設けられ、嵌合部１５ｂの連結部１５ｃと反対側の端部はコード接続部１５ｄとして設けられている。
【００３０】
第３の導体１５は第２の絶縁体１４に外嵌されている。第３の導体１５は第２の絶縁体１４に外嵌された状態において、嵌合凹部１４ｄに結合され、電極部１５ａの外周面が大径部１４ａの外周面と放射方向において一致され、嵌合部１５ｂの外周面が張出部１４ｃの外周面と放射方向において一致されている。従って、第２の絶縁体１４は大径部１４ａと張出部１４ｃとが露出されている。
【００３１】
第３の絶縁体１６は略円筒状に形成され、軸方向における一端部が外径の大きな大径部１６ａとして設けられ、軸方向において大径部１６ａに連続する部分が小径部１６ｂとして設けられ、軸方向における他端部が小径部１６ｂより外径の大きな張出部１６ｃとして設けられている。大径部１６ａと張出部１６ｃは小径部１６ｂより肉厚に形成されている。第３の絶縁体１６には大径部１６ａと張出部１６ｃの間における外面側に浅い嵌合凹部１６ｄが形成されている。
【００３２】
第３の絶縁体１６は第３の導体１５の嵌合部１５ｂに外嵌されている。第３の絶縁体１６は第３の導体１５に外嵌された状態において、大径部１６ａと張出部１６ｃの外周面が電極部１５ａの外周面と放射方向において一致されている。第３の導体１５は電極部１５ａとコード接続部１５ｄが露出されている。
【００３３】
第４の導体１７は略円筒状に形成され、電極部１７ａと該電極部１７ａの軸方向における中央部の外周面に外方へ突出して設けられた円環状の突部１７ｂとから成る。電極部１７ａの一部はコード接続部１７ｃとして設けられている。
【００３４】
第４の導体１７は第３の絶縁体１６の嵌合凹部１６ｄに外嵌されている。第４の導体１７は第３の絶縁体１６に外嵌された状態において、電極部１７ａの外周面が大径部１６ａの外周面と張出部１６ｃの外周面とに放射方向において一致されている。従って、第３の絶縁体１６は大径部１６ａと張出部１６ｃとが露出されている。
【００３５】
第４の絶縁体１８は導体取付部２０と延設部２１とが一体に形成されて成る（図４及び図６参照）。
【００３６】
導体取付部２０は一方向に長く形成され、図７に示すように、本体部２０ａと該本体部２０ａの長手方向における一端部から短手方向へ互いに反対側へ突出された突出部２０ｂ、２０ｂとから成る。本体部２０ａには、長手方向に延びる導体取付溝２０ｃが形成され、該導体取付溝２０ｃが形成された面と反対側の面に短手方向へ延びる嵌合溝２０ｄが形成されている。延設部２１は導体取付部２０の長手方向における一端面から突出部２０ｂ、２０ｂの突出方向と直交する方向へ突出されている。
【００３７】
第４の絶縁体１８は、導体取付部２０が第３の絶縁体１４の大径部１４ａから張出部１４ｃまでに亘る部分の外周面の一部に取り付けられ、延設部２１が第３の導体１５のコード接続部１５ｄから第１の絶縁体１２の張出部１２ｃまでに亘る部分の外周面の一部に取り付けられている。このように第４の絶縁体１８が取り付けられた状態においては、嵌合溝２０ｄに第４の導体１７の突部１７ｂが嵌合され、導体取付部２０が延設部２１より外周側に位置されている。
【００３８】
第５の導体１９は一方向に長い板状に形成され、長手方向における中間部に互いに反対方向へ突出された規制突片１９ａ、１９ａを有している。第５の導体１９は、規制突片１９ａ、１９ａを基準として一方の側が挿入部１９ｂとされ、他方の側がコード接続部１９ｃとされている。挿入部１９ｂにおけるコード接続部１９ｃと反対側の端部には厚み方向へ突出された接続用突部１９ｄが設けられている。
【００３９】
第５の導体１９は挿入部１９ｂが導体取付溝２０ｃに挿入されて第４の絶縁体１８に取り付けられる（図３参照）。第５の導体１９は第４の絶縁体１８に取り付けられた状態において、規制突片１９ａ、１９ａが本体部２０ａの一端面に接し、コード接続部１９ｃが延設部２１より外周側に離隔して位置されている（図４参照）。
【００４０】
以上のようにして構成されたプラグ５では、図５及び図６に示すように、第１の導体１１のコード接続部１１ｄ、第２の導体１３のコード接続部１３ｄ、第３の導体１５のコード接続部１５ｄ、第４の導体１７のコード接続部１７ｃ及び第５の導体１９のコード接続部１９ｃに、対応する接続コードＣＤａ、ＣＤｂ、ＣＤｃ、ＣＤｄ、ＣＤｅの一端が、例えば、半田付けによりそれぞれ接続される。
【００４１】
これら接続コードＣＤａ、ＣＤｂ、ＣＤｃ、ＣＤｄ、ＣＤｅの他端は、マイク付イヤホンＥＰ１（図１）のスピーカＳＫ１（図１）、マイク付イヤホンＥＰ２（図１）のスピーカＳＫ２（図１）、マイク付イヤホンＥＲ１、ＥＲ２におけるグランド端子（図示せず）、マイク付イヤホンＥＰ１（図１）のマイクロホンＭＣ１（図１）、イク付イヤホンＥＰ２（図１）のマイクロホンＭＣ２（図１）にそれぞれ接続される。
【００４２】
ちなみに、これら接続コードＣＤａ、ＣＤｂ、ＣＤｃ、ＣＤｄ、ＣＤｅは、第４の導体１７の突部１７ｂから第１の導体１１のコード接続部１１ｄまでに亘る部分がカバー１０によって覆われ、コード接続部１１ｄ、１３ｄ、１５ｄ、１７ｃ、１９ｃが閉塞される（図２参照）。
【００４３】
（２−２）ジャックの構成
次に、このプラグＰＬＧに対応するジャックＪＡＫの構成を説明する。図８に示すように、このジャックＪＡＫは、筐体２４を有し、この携帯音楽プレーヤ１の所定位置に取り付けられている。
【００４４】
この筐体２４には一方に開口されたプラグ挿入孔２４ａが形成されている。ジャックＪＡＫにおけるプラグ挿入孔２４ａの開口と反対側の端部からは、５つの端子片２５が突出されている。端子片２５はこの携帯音楽プレーヤ１内部の電子回路に接続されている。
【００４５】
この筐体２４の内部には、図９及び図１０に示すように、第１の接続端子２６、第２の接続端子２７、第３の接続端子２８、第４の接続端子２９及び第５の接続端子３０が配置されている。
【００４６】
第１の接続端子２６（図９参照）は、ジャックＪＡＫの内面に沿って配置されたベース部２６ａと、該ベース部２６ａから折り返されプラグ挿入孔２４ａから遠去かる方向へ延びる基端部２６ｂと、該基端部２６ｂに連続し基端部２６ｂに対してベース部２６ａから離隔する方向へ屈曲された板バネ部２６ｃとを有し、該板バネ部２６ｃの先端部が接続部２６ｄとして設けられている。
【００４７】
第２の接続端子２７（図１０参照）は、ジャックＪＡＫの内面と平行な状態で配置された基端部２７ａと、該基端部２７ａに連続し基端部２７ａに対してジャックＪＡＫの内面から離隔する方向へ屈曲された板バネ部２７ｂとを有し、該板バネ部２７ｂの先端部が接続部２７ｃとして設けられている。接続部２７ｃは第１の接続端子２６の接続部２６ｄよりプラグ挿入孔２４ａ側に位置されている。
【００４８】
第３の接続端子２８（図９参照）は、ジャックＪＡＫの内面に沿って配置された基端部２８ａと、該基端部２８ａに連続し基端部２８ａに対してジャックＪＡＫの内面から離隔する方向へ屈曲された板バネ部２８ｂとを有し、該板バネ部２８ｂの先端部が接続部２８ｃとして設けられている。接続部２８ｃは第２の接続端子２７の接続部２７ｃよりプラグ挿入孔２４ａ側に位置されている。
【００４９】
第４の接続端子２９（図９及び図１０参照）は、ジャックＪＡＫの内面に沿って配置された基端部２９ａと、該基端部２９ａに連続し基端部２９ａに対してジャックＪＡＫの内面から離隔する方向へ屈曲された板バネ部２９ｂとを有し、該板バネ部２９ｂの先端部が接続部２９ｃとして設けられている。接続部２９ｃは第３の接続端子２８の接続部２８ｃよりプラグ挿入孔２４ａ側に位置され、該プラグ挿入孔２４ａの開口の直ぐ内側に位置されている。
【００５０】
第５の接続端子３０（図１０参照）は、ジャックＪＡＫの内面に沿って配置された基端部３０ａと、該基端部３０ａに連続し基端部３０ａに対してジャックＪＡＫの内面から離隔する方向へ屈曲された板バネ部３０ｂとを有し、該板バネ部３０ｂの先端部が接続部３０ｃとして設けられている。接続部３０ｃはプラグ挿入孔２４ａの開口の直ぐ内側に位置されている。
【００５１】
ジャックＪＡＫの内部にはストッパー壁３１が設けられている（図１０参照）。ストッパー壁３１は第５の接続端子３０の板バネ部３０ｂを挟んでジャックＪＡＫの内面と反対側に位置されている。
【００５２】
ジャックＪＡＫの内部には保持用絶縁部材３２が設けられている（図９及び図１０参照）。保持用絶縁部材３２はプラグ挿入孔２４ａの開口と反対側の端部に設けられている。
【００５３】
第１の接続端子２６、第２の接続端子２７、第３の接続端子２８、第４の接続端子２９及び第５の接続端子３０は、それぞれ一部が保持用絶縁部材３２に埋設されて保持され、端子片２５に各別に連続されている。従って、第１の接続端子２６、第２の接続端子２７、第３の接続端子２８、第４の接続端子２９及び第５の接続端子３０は、それぞれ端子片２５を介して、この携帯音楽プレーヤ１の内部の回路に接続されている。
【００５４】
（２−３）プラグ及びジャックの接続状態
このジャックＪＡＫのプラグ挿入孔２４ａにプラグＰＬＧが挿入された場合、図１１及び図１２に示すように、第１の導体１１の電極部１１ａ、第２の導体１３の電極部１３ａ、第３の導体１５の電極部１５ａ、第４の導体１７の電極部１７ａ及び第５の導体１９の接続用突部１９ａが、対応する左スピーカ用の第１の接続端子２６の接続部２６ｄ、右スピーカ用の第２の接続端子２７の接続部２７ｃ、グランド用の第３の接続端子２８の接続部２８ｃ、左マイク用の第４の接続端子２９の接続部２９ｃ及び右マイク用の第５の接続端子３０の接続部３０ｃに接続される。
【００５５】
このときプラグＰＬＧは第４の導体１７の突部１７ｂがジャックＪＡＫにおけるプラグ挿入孔２４ａの外側開口縁に接触すると共に第５の導体１９の挿入部１９ｂの一端面がストッパー壁３１に接触する位置まで挿入され、ジャックＪＡＫに対する挿入方向における位置決めが行われる。
【００５６】
接続部２６ｄ、２７ｃ、２８ｃ、２９ｃ、３０ｃはそれぞれ基端部２６ｂ、２７ａ、２８ａ、２９ａ、３０ａに対してバネ力に抗して弾性変形され、電極部１１ａ、電極部１３ａ、電極部１５ａ、電極部１７ａ、接続用突部１９ａに押し付けられた状態で接続される。
【００５７】
（３）携帯音楽プレーヤの回路構成
（３−１）携帯音楽プレーヤ全体の回路構成
次に、この携帯音楽プレーヤ１の回路構成として、該携帯音楽プレーヤ１全体の回路構成を説明する。図１３に示すように、この携帯音楽プレーヤ１は、当該携帯音楽プレーヤ１全体の制御を司る制御部５０に対して、操作部５１、データ記憶媒体５２、プラグ検出部５３、表示部ＤＰ及び信号処理部５４を接続することにより構成される。
【００５８】
制御部５０は、ＣＰＵ(Central Processing Unit)と、各種プログラムや設定データが格納されるＲＯＭ(Read Only Memory)と、当該ＣＰＵのワークメモリとして用いられるＲＡＭ(Random Access Memory)とを含むマイクロコンピュータとして構成される。
【００５９】
この制御部５０は、ＲＯＭに記憶されたプログラムに従い、操作部５１から与えられる制御データと、ＲＯＭに記憶された設定データとに基づいて、データ記憶媒体５２、表示部ＤＰ及び信号処理部５４を適宜制御する。
【００６０】
操作部５１は、この携帯音楽プレーヤ１の筺体表面に設けられた各種操作ボタンの操作に対応する制御データを生成し、これを制御部５０へ送出する。
【００６１】
データ記憶媒体５２は、例えばＥＥＰＲＯＭ（Electrically Erasable Programmable Read Only Memory）でなり、当該データ記憶媒体１２には、ディジタルオーディオ信号Ｄ１などの各種データが記憶される。
【００６２】
表示部ＤＰは、例えばＦＬ(Fluorescent Lamp)管として、この携帯音楽プレーヤ１の筺体表面に設けられており（図１参照）、制御部５０により生成された表示データに基づいて、例えば、再生内容、現時点で指定されている再生モードの状態、ノイズキャンセリング対応のイヤホン（又はヘッドホン）が接続されているか否か等を、文字や図形により表示する。
【００６３】
この表示部ＤＰに表示される表示画面例を図１４に示す。表示画面の左端には、現再生対象に関する画像ＩＭ又は設定データとしてＲＯＭに記憶されたサンプル画像（図示せず）が表示される。また、表示画面の中央上段には現再生対象のタイトル名、中央中段には現再生対象のアーティスト名、中央下段には現再生対象の再生時間が、図形及び文字により表示される。さらに、表示画面の右下端には、バッテリー容量に対する現時点での残量が、電池を模した図形により表示される。
【００６４】
一方、この電池を模した図形の左側には、シャッフル再生モードを表す図形ＡＣ１及びリピート再生モードを表す図形ＡＣ２が、また電池を模した図形の上側には、サラウンドモード及びその番号を表す図形ＡＣ３が、当該モードを指定した場合にそれぞれ表示される。
【００６５】
他方、図形ＡＣ３の上側には、ノイズキャンセリング対応のイヤホン（又はヘッドホン）が接続されていることを表す図形ＡＣ４が、該イヤホン（又はヘッドホン）が接続された場合に、当該図形ＡＣ４以外の文字及び図形とは異なる色で、表示される。したがって、この表示画面例では、ノイズキャンセリング対応のイヤホン（又はヘッドホン）が接続されていることを、着目させることができるようになされている。
【００６６】
プラグ検出部５３は、ジャックノイズキャンセリング対応のイヤホン（又はヘッドホン）のプラグＰＬＧにおける接続の有無を検出する。具体的には、ジャックＪＡＫに配される各接続端子２６、２７、２８、２９、３０（例えば図９及び図１０）のうち、マイク付イヤホンＭＰ１のマイクロホンＭＣ１に接続されるプラグ側の端子１８に対応する端子（マイク入力端子）２９を介して、該マイクロホン２９に対する基準電圧を供給する信号線（以下、これを電圧供給ラインと呼ぶ）の電圧変化により、ジャックノイズキャンセリング対応のイヤホン（又はヘッドホン）のプラグＰＬＧにおける抜差状態（接続の有無）を検出する。
【００６７】
なお、ノイズキャンセリング非対応のイヤホン（又はヘッドホン）、つまりマイクロホンが搭載されていないイヤホン（又はヘッドホン）の標準ミニプラグが接続された場合、ジャックＪＡＫに配される各接続端子２６、２７、２８、２９、３０（例えば図９及び図１０）のうち、左右チャンネルのスピーカ用の接続端子２６、２７と、グランド用の接続端子２８だけがプラグ側の端子と接続することになる。
【００６８】
この場合、電圧供給ラインには電圧変化が生じないため、プラグ検出部５３では、ジャックノイズキャンセリング対応のイヤホン（又はヘッドホン）のプラグＰＬＧにおける抜差状態（接続の有無）は非検出となる。
【００６９】
またプラグ検出部５３は、このプラグＰＬＧが差込又は脱抜されたことを検出したとき、音声ラインに設けられたスイッチ（図示せず）を開放することにより、ノイズキャンセリング非対応のイヤホン（又はヘッドホン）からの音声信号の入力を強制的に遮断するようになされている。
【００７０】
信号処理部５４のＤＳＰ(Digital Signal Processor)５４Ａには、データ記憶媒体１２から再生されたディジタルオーディオ信号Ｄ１が入力される。また、ジャックＪＡＫに対してノイズキャンセリング対応のイヤホン（又はヘッドホン）のプラグＰＬＧが差し込まれている場合、ノイズキャンセリングモード対応の周波数特性を表す第１のフィルタ係数が設定データとして入力され、当該プラグＰＬＧが接続されていない場合、ノイズキャンセリングモード非対応の周波数特性を表す第２のフィルタ係数が設定データとして入力される。
【００７１】
ＤＳＰ５４Ａは、設定データとして入力される第１又は第２のフィルタ係数に基づいて、ディジタルオーディオ信号Ｄ１に対してフィルタ処理を施す。ちなみに、ディジタルオーディオ信号Ｄ１が圧縮されている場合、ＤＳＰ５４Ａは、当該圧縮方式に応じた伸長処理も施すようになされている。
【００７２】
また、ＤＳＰ５４Ａは、このフィルタ処理後にＤ／Ａ（Digital/Analog）変換処理を施し、この結果得られる左右チャンネルのアナログオーディオ信号Ｓ１を合成部５４Ｃに送出する。
【００７３】
一方、信号処理部５４のノイズキャンセリング信号生成部５４Ｂには、ジャックＪＡＫに対してノイズキャンセリング対応のイヤホン（又はヘッドホン）のプラグＰＬＧが差し込まれている場合、当該プラグＰＬＧを介して、マイク付イヤホンＥＰ１、ＥＰ２のマイクロホンＭＣ１、ＭＣ２（図１）から左右チャンネルの音声信号Ｓ２が入力される。
【００７４】
ノイズキャンセリング信号生成部５４Ｂは、入力される左右チャンネルの音声信号Ｓ２と逆位相の音声信号をそれぞれ生成し、これらをノイズキャンセリング信号Ｓ３として合成部５４Ｃに送出する。
【００７５】
合成部５４Ｃは、ＤＳＰ５４Ａから供給される左右チャンネルのアナログオーディオ信号Ｓ１と、ノイズキャンセリング信号生成部５４Ｂから供給される左右チャンネルのノイズキャンセリング信号Ｓ３とを対応するチャンネル単位で合成し、これら左右チャンネルの合成結果を音声出力信号Ｓ４として信号増幅部５４Ｄに送出する。
【００７６】
ちなみに、ノイズキャンセリング信号生成部５４Ｂからノイズキャンセリング信号Ｓ３が供給されない場合、つまりジャックＪＡＫに対してノイズキャンセリング非対応のイヤホン（又はヘッドホン）のプラグが差し込まれている場合、ＤＳＰ５４Ａから供給されるアナログオーディオ信号Ｓ１が音声出力信号Ｓ４として信号増幅部５４Ｄに送出される。
【００７７】
信号増幅部５４Ｄは、操作部１１から与えられるボリューム制御データに基づいて、合成部５４Ｃから入力される音声出力信号Ｓ４を増幅し、これをジャックＪＡＫの対応する接続端子２６、２７（例えば図９及び図１０）に出力するようになされている。
【００７８】
（３−２）プラグ検出部について
（３−２−１）プラグ検出部の接続状態
まず、プラグ検出部５３の接続状態について説明する。図１５に示すように、右のマイクロホンＭＣ２からプラグ側の端子１８に対応するジャック側の端子３０（マイク入力端子）に結線される音声信号の信号線（以下、これを音声信号ラインと呼ぶ）ＬＮＲには、対応するノイズキャンセリング信号生成部５４ＢＲ、合成部５４ＣＲ及び信号増幅部５４ＤＲがそれぞれ接続される。
【００７９】
また、この音声信号ラインＬＮＲのうち、ジャック側の端子（マイク入力端子）３０及びノイズキャンセリング信号生成部５４ＢＲ間には、電源供給ラインＬＮＸが結線されており、この電源供給ラインＬＮＸ上にプラグ検出部５３が配されている。
【００８０】
一方、左のマイクロホンＭＣ１が接続されるプラグ側の端子１７に対応するジャック側の端子（マイク入力端子）２９に結線される音声信号ラインＬＮＬには、対応するノイズキャンセリング信号生成部５４ＢＬ、合成部５４ＣＬ及び信号増幅部５４ＤＬがそれぞれ接続される。
【００８１】
また、この音声信号ラインＬＮＬのうち、ジャック側の端子（マイク入力端子）２９及びノイズキャンセリング信号生成部５４ＢＬ間には、スイッチ素子ＳＷが接続される。
【００８２】
このスイッチ素子ＳＷは、プラグ検出部５３に接続されており、ジャックＪＡＫに対してプラグＰＬＧが脱抜状態にある場合には開状態とされ、該プラグＰＬＧが差込状態にある場合には閉状態とされる。このスイッチＳＷの開閉動作はプラグ検出部５３により実行される。
【００８３】
（３−２−２）プラグ検出部の構成
次に、プラグ検出部５３の具体的な構成について説明する。図１６に示すように、このプラグ検出部５３はトランジスタＴＲを有し、該トランジスタＴＲのエミッタは電源供給ラインＬＮＸに接続され、コレクタは、抵抗を介してグランドに接続されるとともに、該抵抗及びコレクタの接続中点を介してスイッチに接続される。
【００８４】
またベースは、抵抗Ｒ２を介してエミッタに接続されるとともに、抵抗Ｒ３を介して音声信号ラインＬＮＲに接続される。
【００８５】
（３−２−３）プラグ差込時におけるプラグ検出部の動作
ここで、プラグＰＬＧが脱抜状態にあるとき、トランジスタＴＲのベース及びコレクタ間には電圧差が生じないため、該トランジスタＴＲはオフ状態となる。この場合、電圧源から供給される電圧がスイッチＳＷに供給されることはなく、該スイッチＳＷは開状態とされる。
【００８６】
この状態において、ジャックＪＡＫに対してプラグＰＬＧが差し込まれ始め、そのプラグＰＬＧにおける右のマイク入力端子１８が、対応するジャックＪＡＫの端子３０に接続した場合、プラグ検出部５３に対してベース電流が流れ、トランジスタＴＲのベース及びコレクタ間に電圧差が生じることにより、該トランジスタＴＲはオン状態となる。この場合、電圧源から供給される電圧はスイッチＳＷに供給され、これにより該スイッチＳＷは閉状態となる。
【００８７】
（３−２−４）プラグ脱抜時におけるプラグ検出部の動作
一方、プラグＰＬＧが差し込まれた状態において、該プラグＰＬＧが脱抜され始め、そのプラグＰＬＧにおける右のマイク入力端子１８が、対応するジャックＪＡＫの端子３０から離脱した場合、プラグ検出部５３に対するベース電流の流入が途絶えることにより、トランジスタＴＲのベース及びコレクタ間に電圧差がなくなり、この結果、該スイッチＳＷは開状態となる。この場合、電圧源から供給される電圧はスイッチＳＷに供給されなくなり、この結果、該スイッチＳＷは開状態となる。
【００８８】
（３−２−５）プラグ検出部の動作のまとめ
このようにしてプラグ検出部５３は、電源供給ラインＬＮＸに結線されたトランジスタＴＲおけるベース及びコレクタ間の電圧差が生じたとき、スイッチＳＷを閉状態とする一方、該トランジスタＴＲおけるベース及びコレクタ間の電圧差がなくなったとき、スイッチＳＷを開状態とするようになされている。
【００８９】
（４）本実施の形態による動作及び効果
以上の構成において、この携帯音楽プレーヤ１では、プラグ検出部５３が、ジャックＪＡＫのプラグ挿入孔２４ａ（図８）に対して最も近接する位置に配置されるマイク入力用の端子３０（図１０等）に対応する音声信号ラインＬＮＲ（図１５）に結線された電圧供給ラインＬＮＸの電圧変化を監視する。
【００９０】
したがって、この携帯音楽プレーヤ１では、ジャックＪＡＫからプラグＰＬＧが脱抜される場合（図１１又は図１２参照）、マイク入力用の端子３０に対して対応するプラグ側の端子１８が最初に離脱することになるため、スイッチＳＷ（図１５）は、脱抜直後に、プラグ検出部５３により開状態とされ、他方の音声信号ラインＬＮＬは短絡される。
【００９１】
これによりこの携帯音楽プレーヤ１では、ジャックＪＡＫからプラグＰＬＧがさらに脱抜されるときに（図１１又は図１２参照）、該ジャックＪＡＫにおける他方のマイク入力用の端子２９と、プラグＰＬＧにおけるスピーカ出力用の端子１１、１３とが接触した場合であっても、対応する音声信号ラインＬＮＬ（図１５）からの出力の一部が再度帰還するといったことが回避され、この結果、発振（いわゆるハウリング）が防止されることになる。
【００９２】
一方、ジャックＪＡＫにプラグＰＬＧが差し込まれる場合（図１１又は図１２参照）、該プラグＰＬＧがジャックＪＡＫに対して完全に差し込まれるまでは、マイク入力用の端子３０に対して対応するプラグ側の端子１８が接続されないことになるため、スイッチＳＷは、ジャックＪＡＫに対するプラグＰＬＧの差込状態が不完全である場合には、プラグ検出部５３により閉状態とされず、音声信号ラインＬＮＬは短絡されたままの状態となる。
【００９３】
これによりこの携帯音楽プレーヤ１では、ジャックＪＡＫに対してプラグＰＬＧを差し込む際に（図１１又は図１２参照）、該ジャックＪＡＫにおけるマイク入力用の端子２９、３０と、プラグＰＬＧにおけるスピーカ出力用の端子１１、１３とが接触した場合であっても、対応する音声信号ラインＬＮＬ（図１５）からの出力の一部が再度帰還するといったことが回避され、この結果、発振（いわゆるハウリング）が防止されることになる。
【００９４】
また、この携帯音楽プレーヤ１では、ジャックＪＡＫのプラグ挿入孔２４ａ（図８）に対して最も近接する位置に配置されるマイク入力用の端子３０（図１０等）に供給される電圧をプラグ検出部５３により監視することにより、従来のように、スイッチ用レバーを設けることなくスイッチＳＷの開閉動作を実行させることができるため、該スイッチ用レバーの可動スペースを回避できる分だけ小型化を実現できる。
【００９５】
なお、この実施の形態の場合におけるプラグ検出部５３（図１５）では、電圧源から供給される基準電圧の調整抵抗（具体的にはおよそ３[ｋΩ]）Ｒ３を介してトランジスタＴＲのベース及びコレクタ間に流れるベース電流の有無に応じて、該トランジスタＴＲがオンオフ動作するように、抵抗Ｒ１、Ｒ２が配されている。これによりこのプラグ検出部５３では、調整抵抗を、プラグ検出用の抵抗としても用いることができ、その回路構成を小型化し得るようになされている。
【００９６】
以上の構成によれば、ジャックＪＡＫのプラグ挿入孔２４ａ（図８）に対して最も近接する位置に配置されるマイク入力用の端子３０に供給される電圧変化によりプラグＰＬＧの抜差を検出するとともに、該脱抜に応じて音声信号ラインＬＮＬを短絡するようにしたことにより、独立した接続検出用の端子を多極プラグに別途を設けることなく、当該プラグＰＬＧを検出してハウリングを防止することができ、かくして簡素な構成により発振を防止し得る携帯音楽プレーヤ１を実現できる。
【００９７】
（５）他の実施の形態
上述の実施の形態においては、標準ミニプラグ規格のプラグＰＬＧ及びジャックＪＡＫを採用するようにした場合について述べたが、本発明はこれに限らず、例えば左右スピーカのいずれか一方にのみマイクが搭載されたイヤホン（又はヘッドホン）に対応するピンプラグ及びジャック、つまりマイク入力端子がモノラルでなるピンプラグ及びジャックを採用してもよい。また、この標準ミニプラグ規格以外のピンプラグ及びピンジャックを採用してもよく、また、ピン形式以外のコネクタを採用するようにしてもよい。
【００９８】
なお、上述のプラグＰＬＧにおける各端子の割り当てを、先端側から左（又は右）スピーカ、右（又は左）スピーカ、グランド、左（又は右）マイク及び右（又は左）マイクとしたが（例えば図２）、本発明はこれに限らず、これ以外の割り当て態様であってもよい。ちなみに、ジャックＰＬＧにおける各端子の割り当てについても同様である。
【００９９】
ただし、マイク入力が２チャンネル以上の場合、プラグ検出部５３は、コネクタの挿入口に対して近いほうのマイク入力端子に対応する音声信号ラインに結線された電圧供給ライン上に設けるようにし、スイッチＳＷは、コネクタの挿入口に対して遠いほうのマイク入力端子に対応する音声信号ラインに設ける必要がある。このようにすれば、上述の実施の形態の場合と同様の効果を得ることができる。
【０１００】
また上述の実施の形態においては、信号増幅手段からの出力を抑制する抑制手段として、音声信号ライン上に設けられたスイッチＳＷを開放するようにした場合について述べたが、本発明はこれに限らず、信号増幅部５４Ｄに対する電源供給を遮断するようにしてもよく、また、該信号増幅部５４Ｄに対する出力レベルを所定レベル（ハウリングが生じない程度）まで引き下げるようにしてもよい。
【０１０１】
さらに上述の実施の形態においては、プラグ検出部５３を図１６に示すハードウェア構成とした場合について述べたが、本発明はこれに限らず、該プラグ検出部をＣＰＵ、ＲＯＭ、ＲＡＭを含むコンピュータとして構成し、該ＣＰＵが、ＲＯＭに格納されたプログラム、ＣＤ(Compact Disc)、ＤＶＤ(Digital Versatile Disc)、半導体メモリ等の記録媒体からインストールしたプログラム又はインターネットからダウンロードしたプログラムをＲＡＭ上に展開し、そのプログラムに従って、電圧供給ラインの電圧変化により、多極プラグの抜差を検出することと、抑制手段に対して、多極プラグの脱抜が検出された場合には、音声信号ライン上に設けられた信号増幅手段からの出力を抑制し、多極プラグの差込が検出された場合には、当該抑制を解除することを実行させるようにしてもよい。
【０１０２】
さらに上述の実施の形態においては、携帯音楽プレーヤ１を適用するようにした場合について述べたが、本発明はこれに限らず、例えば、ＤＶＤプレーヤ、ＭＤ(Mini Disk)プレーヤ、ＣＤプレーヤ、ディジタルカメラ、携帯電話機、ＰＤＡ(Personal Digital Assistants)、ビデオカメラ又はテレビジョン受信機等、マイクロホンの入力端子が配されたプラグに対応するコネクタを有するこの他種々の装置を適用することができる。
【産業上の利用可能性】
【０１０３】
本発明は、マイクロホンの入力端子が配されたプラグに対応するコネクタを有する装置に利用可能である。
【図面の簡単な説明】
【０１０４】
【図１】携帯音楽プレーヤの外観構成を示す略線図である。
【図２】プラグの拡大斜視図である。
【図３】プラグの拡大側面図である。
【図４】図３とは異なる方向から見た状態で示すプラグの拡大側面図である。
【図５】プラグの拡大断面図である。
【図６】図５とは異なる方向から見た状態で示すプラグの拡大断面図である。
【図７】第４の絶縁体と第５の導体を示す拡大斜視図である。
【図８】ジャックの拡大斜視図である。
【図９】図８のＩＸ―ＩＸ線に沿う断面図である。
【図１０】図８のＸ―Ｘ線に沿う断面図である。
【図１１】プラグがジャックに連結された状態を示す拡大断面図である。
【図１２】図１１とは異なる方向から見た状態でプラグがジャックに連結された状態を示す拡大断面図である。
【図１３】携帯音楽プレーヤの回路構成を示すブロック図である。
【図１４】表示画面例を示す略線図である。
【図１５】プラグ検出部の結線状態を示す略線図である。
【図１６】プラグ検出部の構成を示す略線図である。
【符号の説明】
【０１０５】
１……携帯音楽プレーヤ、５０……制御部、５１……操作部、５２……データ記憶部、５３……プラグ検出部、５３Ａ……抵抗、５３Ｂ……電圧検出回路、５３Ｃ……スイッチ素子、５４……信号処理部、５４Ａ……ＤＳＰ、５４Ｂ……ノイズキャンセリング信号生成部、５４Ｃ……合成部、５４Ｄ……信号増幅部、ＤＰ……表示部、ＡＣ１〜ＡＣ４……図形、ＥＰ１、ＥＰ２……マイク付イヤホン、ＭＣ１、ＭＣ２……マイクロホン、ＳＫ１、ＳＫ２……スピーカ、ＪＡＫ……ジャック、ＰＬＧ……プラグ、ＴＲ……トランジスタ、ＳＷ……スイッチ、Ｒ１〜Ｒ３……抵抗。
【図１】
2008092366.tif 000003
【図２】
2008092366.tif 000004
【図３】
2008092366.tif 000005
【図４】
2008092366.tif 000006
【図５】
2008092366.tif 000007
【図６】
2008092366.tif 000008
【図７】
2008092366.tif 000009
【図８】
2008092366.tif 000010
【図９】
2008092366.tif 000011
【図１０】
2008092366.tif 000012
【図１１】
2008092366.tif 000013
【図１２】
2008092366.tif 000014
【図１３】
2008092366.tif 000015
【図１４】
2008092366.tif 000016
【図１５】
2008092366.tif 000017
【図１６】
2008092366.tif 000018